(57)【特許請求の範囲】
【請求項１】
ネットワークに接続された携帯端末と、前記ネットワークに接続された管理サーバからなるキャンペーン運営システムにおいて、
前記携帯端末は、
商品識別情報と宛先メールアドレスとが埋め込まれ、商品に付与された印刷物を読み取る読み取り手段と、
前記読み取り手段によって読み取られた印刷物に埋め込まれた前記商品識別情報を読み出し、該商品識別情報を含む応募用電子メールを作成する応募メール作成手段と、
前記印刷物に埋め込まれた前記宛先メールアドレスを読み出し、前記ネットワークを介して前記応募用電子メールを前記宛先メールアドレスへ送信する応募メール送信手段と、
前記管理サーバから、アドレス情報を含む応答用電子メールを受信する応答メール受信手段と、
前記管理サーバへの接続要求をユーザから受け付ける接続要求入力手段と、
前記接続要求入力手段が受け付けた接続要求に従い、前記アドレス情報に基づいて前記管理サーバに接続を要求する接続要求手段と、
前記管理サーバから出力情報を受信して表示する表示手段と、
を具備し、
前記管理サーバは、
前記商品に対して発行された商品識別情報を、既に使用されたか否かを示す使用済情報に対応付けて記憶する商品識別情報記憶手段と、
前記携帯端末から前記宛先メールアドレスへ送信された前記応募用電子メールを受信する応募メール受信手段と、
前記応募メール受信手段によって受信された応募用電子メールに含まれる前記商品識別情報と前記商品識別情報記憶手段に記憶された商品識別情報及び使用済情報とから、前記応募用電子メールに含まれる商品識別情報が利用可能か否か判定する商品識別情報認証手段と、
前記応募メール受信手段よって受信された応募用電子メールの送信元メールアドレスを読み出し、ユーザ情報記憶手段内に書き込むユーザ登録手段と、
前記応募メール受信手段によって受信された応募用電子メールに含まれる前記商品識別情報に基づいて前記ユーザ情報記憶手段内にポイント情報を書き込むポイント書き込み手段と、
前記商品識別情報認証手段による判定の結果に基づいて、前記アドレス情報を前記送信元メールアドレスに対応付けて生成するアドレス情報生成手段と、
前記アドレス情報生成手段によって生成されたアドレス情報を含む応答用電子メールを作成し、前記携帯端末に送信する応答メール作成送信手段と、
前記携帯端末から前記アドレス情報に基づく接続要求を受信して、当該アドレス情報に対応付けられた前記送信元メールアドレスを取得するメールアドレス取得手段と、
前記メールアドレス取得手段によって取得された送信元メールアドレスに対応する前記ポイント情報を前記ユーザ情報記憶手段から読み出すポイント読み出し手段と、
前記ポイント読み出し手段によって読み出されたポイント情報を含む出力情報を生成して前記携帯端末に送信する出力情報送信手段と、を備え、
前記管理サーバの出力情報送信手段は、前記ポイント読み出し手段によって読み出されたポイント情報の値に基づいて、蓄積ポイントが存在すると判定した場合には、前記出力情報として、抽選処理を行うウェブページへリンクするリンクボタンを表示するページ情報を生成する
ことを特徴とするキャンペーン運営システム。
【請求項２】
前記ユーザ登録手段は、
前記応募メール受信手段によって受信された応募用電子メールの送信元を示す送信元メールアドレスが、既にユーザ情報記憶手段に記録されているか否かを判定し、記録されていない場合には、その送信元メールアドレスとユーザ登録時のポイント情報とを対応付けて前記ユーザ情報記憶手段に登録する
ことを特徴とする請求項１に記載のキャンペーン運営システム。
【請求項３】
前記管理サーバの前記ポイント書き込み手段は、前記応募メール受信手段によって受信された応募用電子メールに前記商品識別情報が複数記載されていると判定した場合には、それら複数の商品識別情報に対応する値を示すポイント情報を前記ユーザ情報記憶手段内に書き込み、
前記管理サーバの更新手段が、前記商品識別情報記憶手段で記憶している前記複数の商品識別情報それぞれの前記使用済情報を、未使用から使用済みへと更新する
ことを特徴とする請求項１または請求項２に記載のキャンペーン運営システム。
【請求項４】
ネットワークに接続された携帯端末と、前記ネットワークに接続された管理サーバからなるキャンペーン運営システムにおける管理サーバであって、
商品に対して発行された商品識別情報を、既に使用されたか否かを示す使用済情報に対応付けて記憶する商品識別情報記憶手段と、
前記携帯端末から送信された前記応募用電子メールを受信する応募メール受信手段と、
前記応募メール受信手段によって受信された応募用電子メールに含まれる前記商品識別情報と前記商品識別情報記憶手段に記憶された商品識別情報及び使用済情報とから、前記応募用電子メールに含まれる商品識別情報が利用可能か否か判定する商品識別情報認証手段と、
前記応募メール受信手段よって受信された応募用電子メールの前記送信元メールアドレスを読み出し、ユーザ情報記憶手段内に書き込むユーザ登録手段と、
前記応募メール受信手段によって受信された応募用電子メールに含まれる前記商品識別情報に基づいて前記ユーザ情報記憶手段内にポイント情報を書き込むポイント書き込み手段と、
前記商品識別情報認証手段による判定の結果に基づいて、前記アドレス情報を前記送信元メールアドレスに対応付けて生成するアドレス情報生成手段と、
前記アドレス情報生成手段によって生成されたアドレス情報を含む応答用電子メールを作成し、前記携帯端末に送信する応答メール作成送信手段と、
前記携帯端末から前記アドレス情報に基づく接続要求を受信して、当該アドレス情報に対応付けられた前記送信元メールアドレスを取得するメールアドレス取得手段と、
前記メールアドレス取得手段によって取得された送信元メールアドレスに対応する前記ポイント情報を前記ユーザ情報記憶手段から読み出すポイント読み出し手段と、
前記ポイント読み出し手段によって読み出されたポイント情報を含む出力情報を生成して前記携帯端末に送信する出力情報送信手段と、を備え、
前記出力情報送信手段は、前記ポイント読み出し手段によって読み出されたポイント情報の値に基づいて、蓄積ポイントが存在すると判定した場合には、前記出力情報として、抽選処理を行うウェブページへリンクするリンクボタンを表示するページ情報を生成する
ことを特徴とする管理サーバ。
【請求項５】
ネットワークに接続された携帯端末と、前記ネットワークに接続された管理サーバからなるキャンペーン運営システムにおけるキャンペーン運営方法であって、
前記携帯端末は、
商品識別情報と宛先メールアドレスとが埋め込まれ、商品に付与された印刷物を読み取り、
前記読み取られた印刷物に埋め込まれた前記商品識別情報を読み出し、該商品識別情報を含む応募用電子メールを作成し、
前記印刷物に埋め込まれた前記宛先メールアドレスを読み出し、前記ネットワークを介して前記応募用電子メールを前記宛先メールアドレスへ送信し、
前記管理サーバは、
前記携帯端末から前記宛先メールアドレスへ送信された前記応募用電子メールを受信し、
前記受信された応募用電子メールに含まれる前記商品識別情報と商品識別情報記憶手段に記憶された商品識別情報及び使用済情報とから、前記応募用電子メールに含まれる商品識別情報が利用可能か否か判定し、
前記受信された応募用電子メールの前記送信元メールアドレスを読み出し、ユーザ情報記憶手段内に書き込み、
前記受信された応募用電子メールに含まれる前記商品識別情報に基づいてユーザ情報記憶手段内にポイント情報を書き込み、
前記判定の結果に基づいて、アドレス情報を前記送信元メールアドレスに対応付けて生成し、
前記生成されたアドレス情報を含む応答用電子メールを作成し、前記携帯端末に送信し、
前記携帯端末は、
前記管理サーバから、前記アドレス情報を含む応答用電子メールを受信し、
前記管理サーバへの接続要求をユーザから受け付け、
前記受け付けた接続要求に従い、前記アドレス情報に基づいて前記管理サーバに接続を要求し、
前記管理サーバは、
前記携帯端末から前記アドレス情報に基づく接続要求を受信して、当該アドレス情報に対応付けられた前記送信元メールアドレスを取得し、
前記取得された送信元メールアドレスに対応する前記ポイント情報を前記ユーザ情報記憶手段から読み出し、
前記読み出されたポイント情報の値に基づいて、蓄積ポイントが存在すると判定した場合には、出力情報として、抽選処理を行うウェブページへリンクするリンクボタンを表示するページ情報を生成して前記携帯端末に送信し、
前記携帯端末は、
前記管理サーバから出力情報を受信して表示する、
ことを特徴とするキャンペーン運営方法。
【発明の詳細な説明】
【技術分野】
【０００１】
本発明は、シリアルナンバー及び応募用宛先メールアドレスが印刷された商品を利用したキャンペーン運営システム及び管理サーバ並びにキャンペーン運営方法に関する。
【背景技術】
【０００２】
従来において、菓子類等のパッケージや、飲料水の缶、ＰＥＴボトル等に、製造会社が販売促進を計った告知を印刷していた。この告知には、インターネット上のＵＲＬ（Ｕｎｉｆｏｒｍ  Ｒｅｓｏｕｒｃｅ  Ｌｏｃａｔｏｒ）、その商品に個別に発行されたシリアルナンバーが書かれており、購入者が携帯端末からＵＲＬを手入力して製造会社のサーバにアクセスし、シリアルナンバーを入力して、景品の抽選等のキャンペーンに参加していた。しかし、この方法は、煩雑で長いデータであるＵＲＬやシリアルナンバーを、ユーザが手入力しなければならないため、ユーザにとって手間がかかるという問題があった。
ところで、特許文献１には、ＵＲＬとシリアルナンバーに対応する２次元バーコードを商品ラベル等に印字し、ユーザが携帯端末のスキャナでこれを読み取らせ、携帯端末が読み取った２次元バーコードを解釈して、そのＵＲＬに相当する製造会社のサーバにアクセスし、シリアルナンバーをサーバに送信することで、ユーザの手間を省き、キャンペーンに参加する作業を簡単にしたシステムが公開されている。
しかしながら、特許文献１の方法は、前述の商品ラベルに付与された２次元バーコードを携帯端末で読み込んだ時に、製造会社のサーバにアクセスするため、購入したお菓子等の商品のパッケージや飲料水の缶等を手元に取ってある時だけ、キャンペーンに参加することができる。そのため、ユーザがキャンペーンに参加する時間が無い場合、商品のラベルを所持しておかなければならず、不便であるという問題があった。
また、２次元バーコードを読み込み、携帯端末に保存しておいて後でサーバにアクセスすることも考えられるが、この場合でも、他人がその商品ラベルに付与されている２次元バーコードを読み込み、先にサーバにアクセスする恐れがあるので、やはり商品のラベルを所持しておかなければならない。
更に、ポイントを蓄積してキャンペーンに応募する場合は、初回の応募時にユーザＩＤの登録が必要であり、その後の応募毎にユーザＩＤを送る必要があり、応募するたびに、ユーザＩＤの入力の手間があった。
【特許文献１】特開２００２−２７９２６８号公報
【発明の開示】
【発明が解決しようとする課題】
【０００３】
この発明は上記の点を鑑みてなされたもので、ユーザが自由な時間に、手間をかけずにキャンペーンに参加することができるキャンペーン運営システム及び管理サーバ並びにキャンペーン運営方法を提供することを目的とする。
【課題を解決するための手段】
【０００４】
上記目的を達成するために、本発明は、ネットワークに接続された携帯端末と、前記ネットワークに接続された管理サーバからなるキャンペーン運営システムにおいて、前記携帯端末は、商品識別情報と宛先メールアドレスとが埋め込まれ、商品に付与された印刷物を読み取る読み取り手段と、前記読み取り手段によって読み取られた印刷物に埋め込まれた前記商品識別情報を読み出し、該商品識別情報を含む応募用電子メールを作成する応募メール作成手段と、前記印刷物に埋め込まれた前記宛先メールアドレスを読み出し、前記ネットワークを介して前記応募用電子メールを前記宛先メールアドレスへ送信する応募メール送信手段と、前記管理サーバから、アドレス情報を含む応答用電子メールを受信する応答メール受信手段と、前記管理サーバへの接続要求をユーザから受け付ける接続要求入力手段と、前記接続要求入力手段が受け付けた接続要求に従い、前記アドレス情報に基づいて前記管理サーバに接続を要求する接続要求手段と、前記管理サーバから出力情報を受信して表示する表示手段と、を具備し、前記管理サーバは、前記商品に対して発行された商品識別情報を、既に使用されたか否かを示す使用済情報に対応付けて記憶する商品識別情報記憶手段と、前記携帯端末から前記宛先メールアドレスへ送信された前記応募用電子メールを受信する応募メール受信手段と、前記応募メール受信手段によって受信された応募用電子メールに含まれる前記商品識別情報と前記商品識別情報記憶手段に記憶された商品識別情報及び使用済情報とから、前記応募用電子メールに含まれる商品識別情報が利用可能か否か判定する商品識別情報認証手段と、前記応募メール受信手段よって受信された応募用電子メールの送信元メールアドレスを読み出し、ユーザ情報記憶手段内に書き込むユーザ登録手段と、前記応募メール受信手段によって受信された応募用電子メールに含まれる前記商品識別情報に基づいて前記ユーザ情報記憶手段内にポイント情報を書き込むポイント書き込み手段と、前記商品識別情報認証手段による判定の結果に基づいて、前記アドレス情報を前記送信元メールアドレスに対応付けて生成するアドレス情報生成手段と、前記アドレス情報生成手段によって生成されたアドレス情報を含む応答用電子メールを作成し、前記携帯端末に送信する応答メール作成送信手段と、前記携帯端末から前記アドレス情報に基づく接続要求を受信して、当該アドレス情報に対応付けられた前記送信元メールアドレスを取得するメールアドレス取得手段と、前記メールアドレス取得手段によって取得された送信元メールアドレスに対応する前記ポイント情報を前記ユーザ情報記憶手段から読み出すポイント読み出し手段と、前記ポイント読み出し手段によって読み出されたポイント情報を含む出力情報を生成して前記携帯端末に送信する出力情報送信手段と、を備え、前記管理サーバの出力情報送信手段は、前記ポイント読み出し手段によって読み出されたポイント情報の値に基づいて、蓄積ポイントが存在すると判定した場合には、前記出力情報として、抽選処理を行うウェブページへリンクするリンクボタンを表示するページ情報を生成することを特徴とするキャンペーン運営システム。
【０００５】
また本発明は、上述のキャンペーン運営システムにおいて、前記ユーザ登録手段が、前記応募メール受信手段によって受信された応募用電子メールの送信元を示す送信元メールアドレスが、既にユーザ情報記憶手段に記録されているか否かを判定し、記録されていない場合には、その送信元メールアドレスとユーザ登録時のポイント情報とを対応付けて前記ユーザ情報記憶手段に登録することを特徴とする。
【０００６】
また本発明は、上述のキャンペーン運営システムにおいて、前記管理サーバの前記ポイント書き込み手段は、前記応募メール受信手段によって受信された応募用電子メールに前記商品識別情報が複数記載されていると判定した場合には、それら複数の商品識別情報に対応する値を示すポイント情報を前記ユーザ情報記憶手段内に書き込み、前記管理サーバの更新手段が、前記商品識別情報記憶手段で記憶している前記複数の商品識別情報それぞれの前記使用済情報を、未使用から使用済みへと更新することを特徴とする。
【０００７】
また本発明は、ネットワークに接続された携帯端末と、前記ネットワークに接続された管理サーバからなるキャンペーン運営システムにおける管理サーバであって、商品に対して発行された商品識別情報を、既に使用されたか否かを示す使用済情報に対応付けて記憶する商品識別情報記憶手段と、前記携帯端末から送信された前記応募用電子メールを受信する応募メール受信手段と、前記応募メール受信手段によって受信された応募用電子メールに含まれる前記商品識別情報と前記商品識別情報記憶手段に記憶された商品識別情報及び使用済情報とから、前記応募用電子メールに含まれる商品識別情報が利用可能か否か判定する商品識別情報認証手段と、前記応募メール受信手段よって受信された応募用電子メールの前記送信元メールアドレスを読み出し、ユーザ情報記憶手段内に書き込むユーザ登録手段と、前記応募メール受信手段によって受信された応募用電子メールに含まれる前記商品識別情報に基づいて前記ユーザ情報記憶手段内にポイント情報を書き込むポイント書き込み手段と、前記商品識別情報認証手段による判定の結果に基づいて、前記アドレス情報を前記送信元メールアドレスに対応付けて生成するアドレス情報生成手段と、前記アドレス情報生成手段によって生成されたアドレス情報を含む応答用電子メールを作成し、前記携帯端末に送信する応答メール作成送信手段と、前記携帯端末から前記アドレス情報に基づく接続要求を受信して、当該アドレス情報に対応付けられた前記送信元メールアドレスを取得するメールアドレス取得手段と、前記メールアドレス取得手段によって取得された送信元メールアドレスに対応する前記ポイント情報を前記ユーザ情報記憶手段から読み出すポイント読み出し手段と、前記ポイント読み出し手段によって読み出されたポイント情報を含む出力情報を生成して前記携帯端末に送信する出力情報送信手段と、を備え、前記出力情報送信手段は、前記ポイント読み出し手段によって読み出されたポイント情報の値に基づいて、蓄積ポイントが存在すると判定した場合には、前記出力情報として、抽選処理を行うウェブページへリンクするリンクボタンを表示するページ情報を生成することを特徴とする管理サーバである。
【０００８】
また本発明は、ネットワークに接続された携帯端末と、前記ネットワークに接続された管理サーバからなるキャンペーン運営システムにおけるキャンペーン運営方法であって、前記携帯端末は、商品識別情報と宛先メールアドレスとが埋め込まれ、商品に付与された印刷物を読み取り、前記読み取られた印刷物に埋め込まれた前記商品識別情報を読み出し、該商品識別情報を含む応募用電子メールを作成し、前記印刷物に埋め込まれた前記宛先メールアドレスを読み出し、前記ネットワークを介して前記応募用電子メールを前記宛先メールアドレスへ送信し、前記管理サーバは、前記携帯端末から前記宛先メールアドレスへ送信された前記応募用電子メールを受信し、前記受信された応募用電子メールに含まれる前記商品識別情報と商品識別情報記憶手段に記憶された商品識別情報及び使用済情報とから、前記応募用電子メールに含まれる商品識別情報が利用可能か否か判定し、前記受信された応募用電子メールの前記送信元メールアドレスを読み出し、ユーザ情報記憶手段内に書き込み、前記受信された応募用電子メールに含まれる前記商品識別情報に基づいてユーザ情報記憶手段内にポイント情報を書き込み、前記判定の結果に基づいて、アドレス情報を前記送信元メールアドレスに対応付けて生成し、前記生成されたアドレス情報を含む応答用電子メールを作成し、前記携帯端末に送信し、前記携帯端末は、前記管理サーバから、前記アドレス情報を含む応答用電子メールを受信し、前記管理サーバへの接続要求をユーザから受け付け、前記受け付けた接続要求に従い、前記アドレス情報に基づいて前記管理サーバに接続を要求し、前記管理サーバは、前記携帯端末から前記アドレス情報に基づく接続要求を受信して、当該アドレス情報に対応付けられた前記送信元メールアドレスを取得し、前記取得された送信元メールアドレスに対応する前記ポイント情報を前記ユーザ情報記憶手段から読み出し、前記読み出されたポイント情報の値に基づいて、蓄積ポイントが存在すると判定した場合には、出力情報として、抽選処理を行うウェブページへリンクするリンクボタンを表示するページ情報を生成して前記携帯端末に送信し、前記携帯端末は、前記管理サーバから出力情報を受信して表示する、ことを特徴とするキャンペーン運営方法である。
【発明の効果】
【０００９】
発明によれば、前記携帯端末が、商品識別情報と宛先メールアドレスとが埋め込まれ商品に付与された印刷物を読み取り、その商品識別情報を含む応募用電子メールを生成して読み取った宛先メールアドレスに送信する。管理サーバは、商品識別情報を、それが既に使用されたか否かを示す使用済情報と共に記憶しておき、携帯端末から受信した応募用電子メールに含まれる商品識別情報が利用可能か否か判定し、判定の結果に基づいてアドレス情報を生成して携帯端末に応答メールとして送信する。そして携帯端末は、管理サーバから受信した応答用電子メールに含まれているアドレス情報に基づいた管理サーバへの接続要求をユーザから受け付けて接続し、管理サーバは、対応する出力情報を生成して携帯端末に送信するので、ユーザが自由な時間に、手間をかけずにキャンペーンに参加することができる。
【００１０】
また、本発明によれば、管理サーバは、商品識別情報を、それが既に使用されたか否かを示す使用済情報と共に記憶しておき、携帯端末から受信した応募用電子メールに含まれる商品識別情報が利用可能か否か判定し、応募用電子メールの送信元メールアドレスを読み出し、ユーザ情報記憶手段内に書き込み、応募用電子メールに含まれる商品識別情報に基づいてユーザ情報記憶手段内にポイント情報を書き込む。そして、前述の判定の結果に基づいて、アドレス情報を送信元メールアドレスに対応付けて生成し、これを含む応答用電子メールを作成して携帯端末に送信する。次いで、携帯端末からアドレス情報に基づく接続要求を受信して、それに対応付けられた送信元メールアドレスを取得して対応するポイント情報を読み出し、そのポイント情報を含む出力情報を携帯端末に送信する。そのため、メールアドレスをユーザＩＤとするため、従来、サイトにアクセスして登録していたユーザ登録が、メールを送るだけで可能になるので、同一メールアドレスからシリアルナンバーをメール送信するだけで、ユーザが携帯端末からユーザＩＤを入力することなく、キャンペーンのポイントの蓄積が可能になる。
【００１１】
また、本発明によれば、携帯端末から受信した応募用電子メールに含まれている商品識別情報が正当なものかどうか判定し、使用可能かどうか判定するため、商品識別情報を適切に認証することができる。
【００１２】
また、本発明によれば、宛先メールアドレスのアカウント部に商品識別情報を格納する。これにより、２次元バーコードで保持する本文の情報が削除されるので、２次元バーコードのサイズを小さくすることができる。また２次元バーコードの印刷における印刷場所の制限を軽減することができる。
【発明を実施するための最良の形態】
【００１３】
以下では、本発明の第１の実施形態について図面を参照して説明する。
図１は、菓子類の商品を製造している製造会社が運営しているキャンペーン運営システムの概要図である。１００は、管理サーバであり、インターネットＮに接続している。２００は、インターネットＮに無線接続可能な携帯端末である。なお、インターネットＮの代わりに、専用回線等のネットワークを用いても良い。
【００１４】
次に、管理サーバ１００について説明する。ここで、管理サーバ１００は、Ｗｅｂサーバ機能を搭載している。１１０は、制御部である。１１１は応募メール受信部、１１２はシリアルナンバー正当性判定部（正当性判定手段）、１１３はシリアルナンバー未使用判定部（未使用判定手段）、１１４はＵＲＬ（Ｕｎｉｆｏｒｍ  Ｒｅｓｏｕｒｃｅ  Ｌｏｃａｔｏｒ）生成部（アドレス情報生成手段）、１１５は応答メール作成送信部、１１６は抽選処理部、１１７はページ送信部（出力情報送信手段）である。ここで、制御部１１０は、応募メール受信部１１１、シリアルナンバー正当性判定部１１２、シリアルナンバー未使用判定部１１３、ＵＲＬ生成部１１４、応答メール作成送信部１１５、抽選処理部１１６、ページ送信部１１７を含んでいる。１３０は、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）で構成される記憶部であり、シリアルナンバーＤＢ（Ｄａｔａｂａｓｅ）（商品識別情報記憶手段）１３１を格納する。１４０は、ネットワークカードで構成される通信Ｉ／Ｆ（Ｉｎｔｅｒｆａｃｅ）である。
【００１５】
次に、携帯端末２００の説明をする。携帯端末２００は、インターネットＮに接続する機能と、Ｗｅｂブラウザ機能と、電子メール送受信機能を搭載しており、液晶ディスプレイで構成される表示部と、ファンクションキー、テンキーで構成される入力部と、２次元バーコードを読み取るバーコード読み取り部を持つ。
【００１６】
ここで、上記の管理サーバ１００、及び携帯端末２００は、ＣＰＵ（中央演算装置）（図示せず）を実装しており、上述した管理サーバ１００の制御部１１０、及び携帯端末２００が搭載する各機能を実現するプログラム（図示せず）をメモリ上にロードして実行することで実現する。
なお、上記の各機能は、専用のハードウェアを用いて実現されても良い。
【００１７】
次に、ユーザが商品を購入し、その商品のパッケージに印刷された２次元バーコードを用いて、キャンペーン運営システムを利用する動作を、図面を参照して説明する。まず、商品の製造会社のサーバ管理者は、キャンペーン運営システムで利用する管理サーバ１００を設置し、通信Ｉ／Ｆ１４０を介してインターネットＮに接続させる。その後、商品である菓子のパッケージに、個々の商品毎に異なる番号であるシリアルナンバーを発行し、管理サーバ１００の記憶部１３０内のシリアルナンバーＤＢ１３１に格納する。そして、発行したシリアルナンバー、管理サーバ１００が受信可能なメールアドレス（以下、宛先メールアドレスという）、及びタイトル名を、２次元バーコードの形式で記述して印刷し、小売店で販売する。図２（ａ）と（ｂ）は、異なる通信会社の携帯端末２００が対応している２次元バーコードのサンプルを示す図である。（ａ）及び（ｂ）の２次元バーコードには、それぞれ、宛先メールアドレス、タイトル名、及びシリアルナンバーの情報（図２（ａ）の３０２ａ、（ｂ）の３０２ｂ）が書き込まれている。（ｃ）は、（ａ）及び（ｂ）のそれぞれの通信会社の携帯端末２００に対応する２次元バーコードのサンプルを示す図であり、（ａ）の３０２ａ、（ｂ）の３０２ｂの情報を含んだ情報（図２（ｃ）の３０２ｃ）が書き込まれている。なお、タイトル名の情報は、２次元バーコードに書き込まれなくても良い
【００１８】
図３は、ユーザ所有の携帯端末２００が、管理サーバ１００とメール送受信を行い、製造会社の運営するキャンペーン運営システムにアクセスする動作を示すフローチャートである。ユーザは、小売店にて商品を購入し、商品のパッケージに印刷された２次元バーコードを読み取るよう携帯端末２００を操作し、携帯端末２００はバーコード読み取り部から２次元バーコードを読み取る（ステップＳ１）。図４は、商品のパッケージ３００の表面に印刷された２次元バーコード３０１を携帯端末２００のバーコード読み取り部から読み取ることを示す説明図である。ここで、２次元バーコード３０１に格納されている宛先メールアドレスと、シリアルナンバーは、視認できるようにパッケージ３００に印刷されている。これは、携帯端末２００のバーコード読み取り部の不具合等により、２次元バーコードに書き込まれたデータが読み取れなかった場合や、バーコード読み取り部を搭載していない携帯端末で応募する場合に、ユーザがＵＲＬを手入力して、キャンペーン応募用電子メールを手入力で作成しキャンペーンに参加できるようにするためのものである。
【００１９】
その後、携帯端末２００のバーコード読み取り部は、２次元バーコード３０１を読み取ると、その２次元バーコードから宛先メールアドレス、シリアルナンバー、及びタイトル名を読み出し、応募用電子メールを作成し（ステップＳ２）、表示部に表示する。図５は、読み取った２次元バーコードから作成された応募用電子メールの説明図である。ここで、シリアルナンバーは、応募用電子メールの本文に記載されている。ユーザは、携帯端末２００の表示部から、応募用電子メールの表示を視認して、入力部から電子メール送信を要求する。これを受けて、携帯端末２００は、応募用電子メールを、宛先メールアドレスに送信する（ステップＳ３）。図６は、携帯端末２００が応募用電子メールを管理サーバ１００に送信する説明図である。
【００２０】
次に、管理サーバ２００の応募メール受信部１１１が、ステップＳ３で携帯端末２００から送信された応募用電子メールを受信する（ステップＳ３１）と、シリアルナンバー正当性判定部１１２は、受信した応募用電子メールの本文に記載されているシリアルナンバーを読み出し（ステップＳ３２）、一致するシリアルナンバーが、記憶部１３０のシリアルナンバーＤＢ１３１内に存在するか否かを判定する。図７は、シリアルナンバーＤＢ１３１の内容を示す図である。本図に示すように、商品に発行された全てのシリアルナンバーが、使用済フラグと共に、シリアルナンバーＤＢ１３１に格納されている。シリアルナンバー正当性判定部１１２の判定の結果、一致するシリアルナンバーが存在した場合、シリアルナンバー未使用判定部１１３が、一致したシリアルナンバーに対応する使用済フラグが未使用を示すか否かを判定する（ステップＳ３３）。シリアルナンバー未使用判定部１１３の判定の結果、使用済フラグが未使用を示す、即ち、認証が成功した場合は、ＵＲＬ生成部１１４が、シリアルナンバー入力済用ＵＲＬ、即ち、シリアルナンバーの認証成功用のＵＲＬを生成する（ステップＳ３４）。
【００２１】
一方、シリアルナンバー正当性判定部１１２の判定の結果、一致するシリアルナンバーが存在しなかった場合、或いは、シリアルナンバー未使用判定部１１３の判定の結果、使用済フラグが使用済を示す場合、即ち、認証が失敗した場合は、ＵＲＬ生成部１１４がシリアルナンバー未入力用のＵＲＬを生成する（ステップＳ３５）。これにより、携帯端末２００から受信した応募用電子メールに含まれているシリアルナンバーを適切に認証することができる。図８は、管理サーバ１００が、応募用電子メールから取得したシリアルナンバーを、シリアルナンバーＤＢ１３１を参照して認証する動作を説明する図である。
【００２２】
その後、応答メール作成送信部１１５は、ＵＲＬ生成部１１４によって生成されたＵＲＬを含む、即ち、ＵＲＬを本文に記述した応答用電子メールを作成する（ステップＳ３６）。そして、応募用電子メールの送信元メールアドレスに送信、即ち、携帯端末２００に送信する（ステップＳ３７）。図９は、管理サーバ１００が応答用電子メールを携帯端末２００に送信する説明図である。
【００２３】
次に、携帯端末２００は、管理サーバ１００から応答用電子メールを受信する（ステップＳ４）と、アラーム、表示部の表示等で応答用電子メールの受信をユーザに通知し、ユーザは、この応答用電子メール受信通知を視聴する。そして、ユーザの都合の良い時に、受信された応答用電子メールを携帯端末２００の表示部に表示するよう入力部から指示する。携帯端末２００は、この入力指示を受けて、応答用電子メールの内容を表示部に表示する。図９における９１は、応答用電子メールの内容の例である。ユーザは、応答用メールの本文に記載されたＵＲＬを入力部から選択して押下する、即ち、本文記載のＵＲＬに基づいて管理サーバ１００に接続要求を入力する。この接続要求を受けて、携帯端末２００は、押下されたＵＲＬに基づいてインターネットＮを介して管理サーバ１００に接続を要求する（ステップＳ５）
【００２４】
次に、管理サーバ１００のページ送信部１１７が、携帯端末２００からＵＲＬに基づく接続要求を受信し、そのＵＲＬに対応するＷｅｂページ情報を生成して、携帯端末２００に送信する。図１０は、接続要求されたＵＲＬが（ａ）前述のステップＳ３４で生成されたシリアルナンバー入力済用ＵＲＬであった場合に対応するＷｅｂページ情報を示すイメージ図、及び、（ｂ）前述のステップＳ３５で生成されたシリアルナンバー未入力用ＵＲＬであった場合に対応するＷｅｂページ情報を示すイメージ図である。次いで、携帯端末２００は、管理サーバ１００から、図１０（ａ）又は（ｂ）に示すようなＷｅｂページ情報を受信して、表示部に表示する。ユーザは、携帯端末２００の表示を見て、図１０（ａ）に示すシリアルナンバー入力済ページが表示されているか否か視認する（ステップＳ６）。図１０（ａ）に示すシリアルナンバー入力済ページが表示されている場合、ユーザは、“抽選開始”ボタン１０２を携帯端末２００の入力部から押下する（ステップＳ８）。携帯端末２００は、入力部からの入力データを、管理サーバ１００へ送信し、管理サーバ１００の抽選処理部１１６は、抽選処理を行う。
【００２５】
一方、図１０（ｂ）に示すシリアルナンバー未入力ページが表示されている場合、ユーザは、シリアルナンバー入力欄１０１を携帯端末２００の入力部から選択して、製造会社に発行され商品のパッケージに印刷されている、未使用のシリアルナンバーを入力し（ステップＳ７）、前述のステップＳ８と同様に、入力部から“抽選開始”ボタンを押下する。携帯端末２００は、入力部からの入力データを、管理サーバ１００へ送信すると、管理サーバ１００のシリアルナンバー正当性判定部１１４、及びシリアルナンバー未使用判定部１１３は、前述のステップＳ３３の判定を同様に行い、判定の結果、認証が成功した場合、抽選処理部１１６が抽選処理を行う。
【００２６】
このように、携帯端末２００が、シリアルナンバーと宛先メールアドレスとが埋め込まれ商品に印刷された２次元バーコードを読み取り、そのシリアルナンバーを本文に記載した応募用電子メールを生成し、宛先メールアドレスに送信する。そして、管理サーバ１００は、シリアルナンバーＤＢ１３１を参照して、携帯端末２００から受信した応募用電子メールに含まれるシリアルナンバーが利用可能か否か判定し、判定の結果に基づいてＵＲＬを生成して携帯端末２００に応答用電子メールとして送信する。そして携帯端末２００は、管理サーバ１００から受信した応答用電子メールに記載されているＵＲＬに基づいて、管理サーバ１００へ接続を要求し、管理サーバ１００は、そのＵＲＬに対応するＷｅｂページ情報を生成して携帯端末２００に送信する。そのため、２次元バーコードを利用するので、キャンペーン参加のためのシリアルナンバー登録の入力の手間を省略できる。また、管理サーバ１００にアクセスするためのＵＲＬをメールで受信できるので、ＵＲＬ入力の手間が省略できる。また、２次元バーコードを利用することにより、管理サーバ１００のメールアドレスの入力を省略できる。これにより、ユーザが自由な時間に、手間をかけずにキャンペーンに参加することができる。
【００２７】
また、管理サーバ１００にアクセスしてからシリアルナンバーを登録していた手間が省略でき、アクセス回数を軽減することができる。
【００２８】
次に、本発明の第２の実施形態について図面を参照して説明する。
図１１は、本実施形態におけるキャンペーン運営システムの概要図である。第１の実施形態とは、管理サーバ１００の制御部１１０が、ユーザ登録部１１８、ＵＲＬ対応情報取得部（メールアドレス取得手段）１１９、及びポイント管理部（ポイント書き込み手段、ポイント読み出し手段）１２０を含み、記憶部１３０がユーザＤＢ（ユーザ情報記憶手段）１３２を格納して、ユーザのポイントを管理する点が異なる。以下では、第１の実施形態と異なる点のみ説明する。
【００２９】
図１２、及び図１３は、ユーザ所有の携帯端末２００が管理サーバ１００へ応募用電子メールを送信し、管理サーバ１００がその送信元メールアドレスでユーザ登録を行ってポイント管理をする動作を示すフローチャートである。
まず、第１の実施形態と同様に、商品の製造会社は、製造した商品にシリアルナンバーを発行し、発行したシリアルナンバーをシリアルナンバーＤＢ１３１に格納する。その後、ユーザは商品を購入し、所有している携帯端末２００の入力部から、商品のパッケージに印刷された２次元バーコードを読み取る指示をする。次いで、携帯端末２００は、第１の実施形態におけるステップＳ１〜Ｓ３の処理を同様に行い、管理サーバ１００へ、応募用電子メールを送信する。管理サーバ１００は、第１の実施形態のステップＳ３１と同様に応募用電子メールを受信すると、ユーザ登録部１１８が、受信された応募用電子メールの送信元メールアドレスを読み出し、一致するメールアドレスが存在するか否か、ユーザＤＢ１３２内を検索する（ステップＳ４１）。存在しなかった場合、即ち、メールアドレスが未登録であった場合、送信元メールアドレスをユーザＩＤとして、ユーザＤＢ１３２に“０”のポイント数と対応付けて書き込む（ステップＳ４３、Ｓ４４）。一方、存在した場合、即ち、メールアドレスが登録済みであった場合、該当するポイント数を読み出す（ステップＳ４２）。
【００３０】
次に、管理サーバ１００は、受信した応募用電子メールの本文を読み出し、上述の第１の実施形態におけるステップＳ３２〜Ｓ３３の処理を同様に行う（ステップＳ３２ａ、Ｓ３３）。図１４は、管理サーバ１００が受信した応募用電子メールの本文部分の例を示す図である。その後、上述の第１の実施形態のステップＳ３３の処理を行い、シリアルナンバーの認証が成功した場合、ＵＲＬ生成部１１４が、シリアルナンバー入力済用ＵＲＬ、即ち、シリアルナンバーの認証成功用のＵＲＬを、そのシリアルナンバーと、応募用電子メールの送信元メールアドレスとに対応付けて生成する（ステップＳ４５）。なお、シリアルナンバーには対応させず、送信元メールアドレスのみに対応付いたＵＲＬを生成しても良い。次いで、ポイント管理部１２０は、ユーザＤＢ１３２内のポイント数に１を加算して書き込む（ステップＳ４６）。ここで、ポイント管理部１２０は、ユーザのポイント数の履歴情報を、記憶部１３０内に保存しておく。なお、この処理は無くても良い。図１５は、ユーザＤＢ１３２内のユーザＩＤとポイント数を示す図である。その後、応答メール作成送信部１１５は、対応するポイント数をユーザＤＢ１３２から読み出し、ＵＲＬ生成部１１４によって生成されたＵＲＬと、読み出したポイント数とを本文に記述した応答用電子メールを作成する（ステップＳ４７）。図１６は、送信元メールアドレスが（ａ）未登録であった場合に作成される応答用電子メールの例、（ｂ）登録済みであった場合に作成される応答用電子メールの例を示す図である。ここで、図１６（ａ）及び（ｂ）における１６１は、シリアルナンバーと、応募用電子メールの送信元メールアドレスとに対応付けて生成されたＵＲＬである。また、図１６（ｂ）の最下行には、ユーザのポイント履歴を表示させるＵＲＬ１６２が記述されている。なお、この記述は無くても良い。
【００３１】
一方、前述のステップＳ３３で、シリアルナンバー正当性判定部１１２の判定の結果、一致するシリアルナンバーが存在しなかった場合、又は、シリアルナンバー未使用判定部１１３の判定の結果、使用済フラグが使用済を示す場合、ＵＲＬ生成部１１４がシリアルナンバー未入力用のＵＲＬを、送信元メールアドレスに対応付けて生成する（ステップＳ４８）。その後、ステップＳ３１で受信した応募用電子メールの送信元メールアドレスに送信、即ち、携帯端末２００に送信する（ステップＳ３７）。その後、応答メール作成送信部１１５は、上述のステップＳ４７と同様に、応答用電子メールを作成する。図１７は、シリアルナンバーの認証が失敗した場合に作成される応答用電子メールの例を示す図である。
【００３２】
その後、上述の第１の実施形態のステップＳ３７と同様にして、応答メール作成送信部１１５が、携帯端末２００へ応答用電子メールを送信する。
【００３３】
次いで、携帯端末２００は、上述の第１の実施形態のステップＳ４、Ｓ５の動作を行い、ユーザによって入力部から指示された時に、押下された応答用電子メールの本文に記載されたＵＲＬに基づいて、管理サーバ１００に接続を要求する。
【００３４】
管理サーバ１００は、携帯端末２００から接続要求を受信すると、ＵＲＬ対応情報取得部１１９が、指定されたＵＲＬに対応付いたメールアドレスを取得し、メールアドレス表示データを作成する（ステップＳ４９）。次いで、ページ生成部１１７は、そのＵＲＬがシリアルナンバー入力済用ＵＲＬか否か判定する（ステップＳ５０）。判定の結果、入力済用ＵＲＬであった場合、ＵＲＬ対応情報取得部１１９が、対応するシリアルナンバーを取得する。次いで、シリアルナンバー未使用判定部１１３がシリアルナンバーＤＢ１３１を参照して、そのシリアルナンバーの使用済フラグが未使用を示すか否か判定する（ステップＳ５１）。この判定の結果、未使用であった場合は、そのＵＲＬに対応付けられたシリアルナンバー表示データを作成する（ステップＳ５２）。そして、抽選処理を行うページへリンクした“抽選開始”ボタンのリンクボタン表示データを作成する（ステップＳ５３）。次いで、ポイント管理部１２０が、ユーザＤＢ１３２を読み出して、ステップＳ４９で取得したメールアドレスに対応するポイント数を含む獲得ポイント数表示データを作成し、新規のシリアルナンバー入力欄データを作成する（ステップＳ５４）。なお、このシリアルナンバー入力欄データは作成しなくても良い。その後、ページ送信部１１７は、前述のメールアドレス表示データ、シリアルナンバー表示データ、リンクボタン表示データ、獲得ポイント数表示データ、及び、シリアルナンバー入力欄データからなるページ情報を生成する。図１８（ａ）は、ＵＲＬに対応するシリアルナンバーが未使用であった場合に作成されるページ情報の例を示す図である。
【００３５】
一方、ステップＳ５０の判定の結果、シリアルナンバー未入力用ＵＲＬであった場合、ポイント管理部１２０が、ユーザＤＢ１３２を読み出して、ポイント数が０か否か判定する（ステップＳ５５）。ポイント数が０でない場合は、前述のステップＳ５３に遷移する。他方、ポイントが０であった場合、前述のステップＳ５４に遷移する。図１８（ｂ）はＵＲＬに対応するシリアルナンバーが使用済、ユーザＤＢ内のポイント数が０でない場合に作成されるページ情報の例、（ｃ）はＵＲＬに対応するシリアルナンバーが使用済、ユーザＤＢ内のポイント数が０である場合に作成されるページ情報の例を示す図である。
【００３６】
他方、ステップＳ５１での判定の結果、シリアルナンバーの使用済フラグが使用済を示す場合は、前述のステップＳ５５に遷移する。
【００３７】
その後、ページ送信部１１９は、作成したページ情報を、携帯端末２００に送信し、これを受信した携帯端末２００の表示部は、ページ情報を表示する。
【００３８】
次に、ユーザは、携帯端末２００の表示部に表示されたページ情報を見て、表示された獲得ポイント数から、抽選が可能か確認する（ステップＳ６ａ）。抽選可能であった場合、ユーザは、携帯端末２００の入力部から“抽選開始”ボタンを押下する（ステップＳ８ａ）。携帯端末２００は、この入力データを管理サーバ１００に送信し、管理サーバ１００の抽選処理部１１６は、抽選処理を開始し（ステップＳ５５）、ユーザＤＢ１３２内のポイント数を読み出して、そのポイント数から抽選処理に必要なポイント数を差し引く（ステップＳ５６）。次いで、ページ送信部１１７が、抽選処理の結果を示すページ情報を作成し（ステップＳ５７）、携帯端末２００へ送信する。携帯端末２００の表示部は、受信したページ情報を表示し、ユーザはこの表示を見て抽選結果を確認する。
【００３９】
一方、抽選不可であった場合、ユーザは、シリアルナンバー入力欄を携帯端末２００の入力部から選択して、商品のパッケージに印刷されている、未使用のシリアルナンバーを入力し（ステップＳ７）、携帯端末２００は、この入力データを管理サーバ１００に送信する。管理サーバ１００はこれを受信すると、前述のステップＳ４９に遷移して処理を行う。
【００４０】
管理サーバ１００は、シリアルナンバーを、それが既に使用されたか否かを示す使用済フラグと共に記憶しておき、携帯端末２００から受信した応募用電子メールに含まれるシリアルナンバーが利用可能か否か判定し、応募用電子メールの送信元メールアドレスを読み出し、ユーザＤＢ１３２内に書き込み、応募用電子メールに含まれるシリアルナンバーに基づいてユーザＤＢ１３２にポイント数を書き込む。そして、前述の判定の結果に基づいて、ＵＲＬを送信元メールアドレスに対応付けて生成し、これを記載した応答用電子メールを作成して携帯端末２００に送信する。次いで、携帯端末２００からＵＲＬに基づく接続要求を受信して、それに対応付けられた送信元メールアドレスを取得して対応するポイント数を読み出し、そのポイント数を含むＷｅｂページ情報を携帯端末２００に送信する。そのため、メールアドレスをユーザＩＤとするため、従来、サイトにアクセスして登録していたユーザ登録が、メールを送るだけで可能になるので、同一メールアドレスからシリアルナンバーをメール送信するだけで、シリアルナンバーの蓄積が可能になる。これにより、ユーザが携帯端末からユーザＩＤを入力することなく、キャンペーンのポイントを蓄積することができる。
【００４１】
なお、上述の第１、第２の実施形態において、携帯端末２００が作成する応募用電子メールの本文にシリアルナンバーを一つだけ記載する場合について説明したが、応募用電子メールに、複数のシリアルナンバーを記載して管理サーバ１００に送信しても良い。その場合、ユーザが複数の商品を購入し、携帯端末２００を操作してそのうち１つの２次元バーコードを読み込ませ、携帯端末２００がそのシリアルナンバーを記載した応募用電子メールを作成する。ユーザはこれを表示させ、携帯端末２００の入力部から、応募用電子メールの本文に、図１９に示すように複数のシリアルナンバーを記載する。管理サーバ１００は、上述の第２の実施形態におけるステップＳ３２ａにおいて、応募用電子メールの本文に、図１９に示すように複数のシリアルナンバーが記載されていた場合、対応するポイント数をユーザＤＢ１３２に書き込み、シリアルナンバーＤＢ１３１内の該当シリアルナンバーの使用済フラグが使用済を示すように更新する。ＵＲＬ生成部１１４は、複数のシリアルナンバーに応じたＵＲＬを生成し、応答メール作成送信部１１５は、このＵＲＬを含む応答用電子メールを作成して携帯端末２００に送信する。図２０は、応募用電子メールに複数のシリアルナンバーが記載されていた場合、応答メール作成送信部１１５が作成する応答用電子メールの内容を示す図である。これにより、従来１つずつ行っていたシリアルナンバーの登録が、応募用電子メールに複数のシリアルナンバーを記載することで、一括送信、一括認証できる。
【００４２】
また、上述の第１及び第２の実施形態において、予め発行された全てのシリアルナンバーを、管理サーバ１００のシリアルナンバーＤＢ１３１に格納し、これを参照して、応募用電子メールのシリアルナンバーの正当性を判定する場合について説明したが、応募用電子メールのシリアルナンバーに所定の計算を施して、正当性を判定しても良い。例えば、シリアルナンバーの１桁目の数字と２桁目の数字を加算し、３桁目の数字で積算した値を、４桁目の数字で除算した余りの値が５桁目になるように、製造会社がシリアルナンバーを発行しておき、管理サーバ１００のシリアルナンバー正当性判定部１１２が、同様の計算を行って正当性を判定する。この場合、管理サーバ１００は、シリアルナンバーＤＢ１３１を予め格納せず、ユーザの携帯端末２００からシリアルナンバーを受信した際に、そのシリアルナンバーを、図２１に示すような使用済シリアルナンバーテーブルに格納し、管理サーバ１００は、これを参照してシリアルナンバーが使用済か否かを判定する。
また、図２１に示す使用済シリアルナンバーテーブルの情報を、ユーザＤＢ１３２に記述しても良い。図２２は、使用済シリアルナンバーを追記したユーザＤＢ１３２の内容を示す図である。
また、ユーザＤＢ１３２に、商品に発行された全てのシリアルナンバーを格納しても良い。図２３は、発行された全シリアルナンバーと、それを応募用電子メールで受信した際の送信元メールアドレスであるユーザＩＤとを対応付けて格納した場合のユーザＤＢ１３２の内容を示す図である。本図中、ユーザＩＤ欄が“未登録”を示すシリアルナンバーは、未使用であることを示す。
【００４３】
また、上述の第２の実施形態に置いて、シリアルナンバーの認証に失敗した場合、管理サーバ１００は、シリアルナンバー未入力用ＵＲＬを生成し、応答用電子メールに記載して送信したが、ＵＲＬを生成しなくても良い。
【００４４】
また、上述の第２の実施形態において、管理サーバ１００が、定期的にユーザＤＢ１３２内の各ユーザＩＤのポイント数を参照し、各ユーザに応じた通知内容を記載した電子メールを、ユーザの携帯端末に送信しても良い。図２４は、管理サーバ１００が、各ユーザに応じた通知内容を記載した電子メールの例を示す図である。
【００４５】
また、上述の第２の実施形態において、抽選に外れたユーザに対して、管理サーバ１００が外れポイントを付与して記憶部１３０に記憶しておき、一定のポイントが蓄積された時点で、ユーザＤＢ１３２内のユーザＩＤであるメールアドレスを送信先とした電子メールでユーザに通知し、再度抽選処理を行っても良い。
【００４６】
また、上述の第２の実施形態において、予めパスワードをユーザ毎に設定し、携帯端末２００から、ユーザのポイント数の履歴を表示するＵＲＬが要求された場合、パスワードの入力を要求するようにしても良い。
【００４７】
また、上述の第１、第２の実施形態において、ユーザは携帯端末２００を用いて管理サーバ１００にアクセスしたが、ＰＣ（Ｐｅｒｓｏｎａｌ  Ｃｏｍｐｕｔｅｒ）を用いても良い。
【００４８】
また、上述の第１及び第２の実施形態においては、２次元バーコード（ＱＲコード）に宛先メールアドレス、シリアルナンバー、タイトル名（subject）が含まれる。そして、携帯端末２００が、読み込んだ２次元バーコードに含まれる宛先メールアドレスに対して本文にシリアルナンバーを記述した電子メールを送信する例について説明した。しかしながら、異なる通信会社の携帯電話に対して、同様の応募用電子メールを作成する処理をさせるためには、図２の（ａ）、（ｂ）で示す様に、通信会社ごとに、異なる命令文の保持した２次元バーコードを用意するか、（ｃ）のように各通信会社の携帯電話共通に対応するような命令文の全てを保持する２次元バーコードを作成して、パッケージや缶などに印刷しなければならない。ここで、パッケージや缶などでは２次元バーコードの印字できる範囲がそれほど広くない為、できる限り当該２次元バーコードが小さいことが望ましい。しかしながら図２の（ａ）、（ｂ）で示す２次元バーコードを印刷する場合には、その印刷範囲が広くなってしまう。また図２の（ｃ）のような２次元バーコードは、保持する情報が多くなるので、その分サイズの大きい２次元バーコードとなってしまい、印刷範囲が広くなってしまう。従って、２次元バーコードが持つ情報量をできる限り少なくし、これにより印刷できる場所が制限されないような２次元バーコードを印刷することが望ましい。以下、この問題を解決する第３の実施形態について説明する。
【００４９】
第３の実施形態においては、２次元バーコードは、宛先メールアドレスと、タイトル名を少なくとも含むものである。そしてこの２次元バーコードに含まれる宛先メールアドレスは、＠で区切られた前半のアカウント部にシリアルナンバーが、また後半のドメイン部に宛先となる管理サーバ１００の管理するドメインが記述されるものである。例えばシリアルナンバーが０１２３４５６７８９で、管理サーバ１００の管理するドメインがｘｘｘ．ｘｘ．ｊｐであれば、宛先メールアドレスは０１２３４５６７８９＠ｘｘｘ．ｘｘ．ｊｐとなる。これにより、第１及び第２の実施形態で示した２次元バーコードと比べて、第３の実施形態の２次元バーコードでは本文（ＢＯＤＹ）の情報が削除される。従って、図２で示した（ａ）、（ｂ）、（ｃ）のいずれの場合にも２次元バーコードが保持する情報が削減され、これにより２次元バーコードのサイズを小さくすることができる。また２次元バーコードの印刷における印刷場所の制限を軽減することができる。
【００５０】
そして、ユーザの操作によりこの２次元バーコードを携帯端末２００が読み取ると、携帯端末２００は２次元バーコードの情報から宛先メールアドレスを読み出し、応募用電子メールを作成する。またユーザの操作により応募用電子メールが送信され、管理サーバ２００の応募メール受信部１１１が応募用電子メールを受信する。この処理は第１、第２の実施形態におけるステップＳ１〜ステップ３、ステップＳ３１に相当する。また、管理サーバ２００の応募メール受信部１１１は、管理サーバ２００自身で管理するドメインが宛先メールアドレスのドメイン部に記述されていれば、アカウント部にどのような文字列が記述されていても受信する処理を行なう。そして、管理サーバ２００のシリアルナンバー正当性判定部１１２は、受信した応募用電子メールの宛先メールアドレスのアカウント部の文字列、つまりシリアルナンバーを読み取って、以降、管理サーバ２００において第１、第２の実施形態いずれかと同様の処理が行なわれる。
【００５１】
なお、第１〜第３の実施形態で示したシリアルナンバーは暗号化されて２次元バーコードに格納されていてもよい。例えば、所定の文字列がシリアルナンバーの後ろに追加されたアカウント部の宛先メールアドレスを、２次元バーコードが保持するようにしてもよい。具体的には０１２３４５６７８９ａｂｃｄｅｆ＠ｘｘｘ．ｘｘ．ｊｐの“ａｂｃｄｅｆ”という所定の文字列を挿入する。そしてこの宛先メールアドレスを携帯端末２００が読み取って、応募用電子メールを作成し、当該応募用電子メールを受信した場合には管理サーバ１００の応募メール受信部１１１は、所定の文字列が一致するか否かを判定し、一致する場合に、所定の文字列を削除してシリアルナンバーを抽出する。
【００５２】
以上、この発明の実施形態を、図面を参照して詳述してきたが、具体的な構成はこの実施形態に限られるものではなく、この発明の要旨を逸脱しない範囲の設計等も含まれる。
【図面の簡単な説明】
【００５３】
【図１】本発明の第一の実施形態における、菓子類の商品を製造している製造元会社が運営しているキャンペーン運営システムの概要図である。
【図２】（ａ）（ｂ）同実施形態における、異なる通信会社の携帯端末２００が対応している２次元バーコードのサンプルを示す図である。
【図３】同実施形態における、ユーザ所有の携帯端末２００が、管理サーバ１００とメール送受信を行い、製造会社の運営するキャンペーン運営システムにアクセスする動作を示すフローチャートである。
【図４】同実施形態における、商品のパッケージの表面に印刷された２次元バーコードを携帯端末のバーコード読み取り部から読み取ることを示す説明図である。
【図５】同実施形態に用いられる、読み取った２次元バーコードから作成された応募用電子メールの説明図である。
【図６】同実施形態における、携帯端末が応募用電子メールを管理サーバに送信する説明図である。
【図７】同実施形態における、シリアルナンバーＤＢの内容を示す図である。
【図８】同実施形態における、管理サーバが、応募用電子メールから取得したシリアルナンバーを、シリアルナンバーＤＢを参照して認証する動作を説明する図である。
【図９】同実施形態における、管理サーバが応答用電子メールを携帯端末に送信する説明図である。
【図１０】同実施形態における、接続要求されたＵＲＬが（ａ）シリアルナンバー入力済用ＵＲＬであった場合に対応するＷｅｂページ情報を示すイメージ図、及び、（ｂ）シリアルナンバー未入力用ＵＲＬであった場合に対応するＷｅｂページ情報を示すイメージ図である。
【図１１】本発明の第２の同実施形態における、キャンペーン運営システムの概要図である。
【図１２】同実施形態における、ユーザ所有の携帯端末が管理サーバへ電子メールを送信し、管理サーバが送信先メールアドレスでユーザ登録を行ってポイント管理をする動作を示すフローチャートである。
【図１３】同実施形態における、ユーザ所有の携帯端末が管理サーバへ電子メールを送信し、管理サーバが送信先メールアドレスでユーザ登録を行ってポイント管理をする動作を示すフローチャートである。
【図１４】同実施形態における、管理サーバが受信した応募用電子メールの本文部分の例を示す図である。
【図１５】同実施形態における、ユーザＤＢ内のユーザＩＤとポイント数を示す図である。
【図１６】同実施形態における、送信元メールアドレスが（ａ）未登録であった場合に作成される応答用電子メールの例、（ｂ）登録済みであった場合に作成される応答用電子メールの例を示す図である。
【図１７】同実施形態における、シリアルナンバーの認証が失敗した場合に作成される応答用電子メールの例を示す図である。
【図１８】同実施形態における、（ａ）ＵＲＬに対応するシリアルナンバーが未使用であった場合に作成されるページ情報の例、（ｂ）ＵＲＬに対応するシリアルナンバーが使用済、ユーザＤＢ内のポイント数が０でない場合に作成されるページ情報の例、及び（ｃ）ＵＲＬに対応するシリアルナンバーが使用済、ユーザＤＢ内のポイント数が０である場合に作成されるページ情報の例を示す図である。
【図１９】同実施形態における、本文に複数のシリアルナンバーを記載した応募用電子メールの例を示す図である。
【図２０】同実施形態における、応募用電子メールに複数のシリアルナンバーが記載されていた場合、応答メール作成送信部が作成する応答用電子メールの内容を示す図である。
【図２１】同実施形態における、使用済シリアルナンバーテーブルの内容を示す図である。
【図２２】同実施形態における、使用済シリアルナンバーを追記したユーザＤＢの内容を示す図である。
【図２３】同実施形態における、発行された全シリアルナンバーと、それを応募用電子メールで受信した際の送信元メールアドレスであるユーザＩＤとを対応付けて格納した場合のユーザＤＢの内容を示す図である。
【図２４】同実施形態における、管理サーバが、各ユーザに応じた通知内容を記載した電子メールの例を示す図である。
【符号の説明】
【００５４】
１００…管理サーバ  １１０…制御部  １１１…応募メール受信部  １１２…シリアルナンバー正当性判定部  １１３…シリアルナンバー未使用判定部  １１４…ＵＲＬ生成部  １１５…応答メール作成送信部  １１６…抽選処理部  １１７…抽選処理部  １１８…抽選処理部  １１９…ＵＲＬ対応情報取得部  １２０…ポイント管理部  １３０…記録部  １３１…シリアルナンバーＤＢ  １３２…ユーザＤＢ  １４０…通信Ｉ／Ｆ  ２００…携帯端末  Ｎ…インターネット
【図１】
0004656084.tif 000002
【図２】
0004656084.tif 000003
【図３】
0004656084.tif 000004
【図４】
0004656084.tif 000005
【図５】
0004656084.tif 000006
【図６】
0004656084.tif 000007
【図７】
0004656084.tif 000008
【図８】
0004656084.tif 000009
【図９】
0004656084.tif 000010
【図１０】
0004656084.tif 000011
【図１１】
0004656084.tif 000012
【図１２】
0004656084.tif 000013
【図１３】
0004656084.tif 000014
【図１４】
0004656084.tif 000015
【図１５】
0004656084.tif 000016
【図１６】
0004656084.tif 000017
【図１７】
0004656084.tif 000018
【図１８】
0004656084.tif 000019
【図１９】
0004656084.tif 000020
【図２０】
0004656084.tif 000021
【図２１】
0004656084.tif 000022
【図２２】
0004656084.tif 000023
【図２３】
0004656084.tif 000024
【図２４】
0004656084.tif 000025